(57)【要約】     【課題】  雌型端子と雄型端子との嵌合が確実に行える端子台を提供する。  【解決手段】  端子台１は、一端がタブ形状とされた雄型端子１１を備えており、雄型端子１１はその一部を延伸して形成した突き当て部１１ｂを備えている。雄型端子１１に雌型端子２を嵌合する際に雄型端子１１に加わる力によって、雄型端子１１が弾性変形しないように突き当て部１１ｂが端子台１の端子台壁１５に当接する。これにより、雄型端子１１と雌型端子２との嵌合が不完全な状態、あるいは、嵌合できていない状態となることを防ぐことができ、接触不良による両端子の嵌合部の発熱や、端子台１が搭載された電気機器に電力供給が行えないといった不具合発生を防ぐことができる。【選択図】  図１
2012204047.tif 000002
【特許請求の範囲】
【請求項１】
端子板の少なくとも一端を上方に折り曲げて形成した立上げ部と同立上げ部の先端をさらに前記端子板と平行となるよう折り曲げて形成したタブを有する雄型端子と、同雄型端子を取り付けるケースとを備えた端子台であって、
前記雄型端子は、前記立上げ部の一部を前記タブの反対側へ切り起こして形成した突き当て部を備え、
前記ケースには、前記突き当て部が当接する端子台壁を備えたことを特徴とする端子台。
【請求項２】
前記突き当て部は、前記端子板と平行となるよう形成されたことを特徴とする請求項１に記載の端子台。
【請求項３】
前記端子台壁に、前記突き当て部の形状に対応する凹部を設けたことを特徴とする請求項１または請求項２に記載の端子台。
【請求項４】
請求項１乃至請求項３に記載の端子台を備えた電気機器。
【発明の詳細な説明】
【技術分野】
【０００１】
本発明は、電気機器に使用される端子台に関わり、特に、電源と電気機器に備えられた電源基板や電源装置とを中継する端子台に関する。
【背景技術】
【０００２】
従来、例えば空気調和機の室外機に搭載され、商用電源あるいは室内機と、室外機の電源基板とを中継する端子台としては、図３（Ａ）に示すような４極のネジ式の端子台１００が存在する。この端子台１００は、樹脂材からなるケースに、間隔をおいて並列配置された４個の雄型端子１１０と、温度ヒューズ１２０と、ネジ１４０とが取り付けられている（特許文献１参照）。
【０００３】
端子台１００は、室外機に取り付けられており、商用電源あるいは室内機からの電源供給ラインがネジ１４０によって雄型端子１１０に電気的に接続される。一方、雄型端子１１０は、端子板１１０ｅの一端が上方に折り曲げられさらにその先端部が端子板１１０ｅと平行に折り曲げられたタブ１１０ａを有し、タブ１１０ａには、室外機の電源基板に一端が接続された電線３００の他端に接続された雌型端子２００が嵌め込まれる。これにより、商用電源あるいは室内機と、室外機の電源基板とが端子台１００を介して接続され、商用電源あるいは室内機から室外機への電力供給が行われる。
【０００４】
また、端子台１００には、温度ヒューズ１２０が備えられている。温度ヒューズ１２０は、図３（Ｂ）に示すように、端子台１００のケースに備えられた固定部１３０に格納されている。図示しない電線によって、温度ヒューズ１２０の一端は電源供給ラインが接続された雄型端子１１０に接続され、他端が室外機の制御基板に実装されている制御手段に接続されている。端子台１００を介して室外機に電源供給を行っている際に、室外機に備えられた回路基板における回路のショートや実装部品の故障等に起因する過熱によって雄型端子１１０が発熱し、この熱を受けて温度ヒューズ１２０が溶融すれば、温度ヒューズ１２０から室外機の制御手段への入力が途絶えるため、これを検知した室外機の制御手段は、電源基板から室外機の各装置への電源供給を停止する。これにより、室外機の焼損を防いでいる。
【先行技術文献】
【特許文献】
【０００５】
【特許文献１】特開平１０−２０９６５４号公報（第３頁、第１図および第２図）
【発明の概要】
【発明が解決しようとする課題】
【０００６】
上述した端子台１００では、図３（Ｂ）に示すように、タブ１１０ａに雌型端子２００を挿入する際には、タブ１１０ａに矢印で示す方向に力が加わる。しかし、雄型端子１１０におけるタブ１１０ａの形成部が固定されていない（Ｌ字状に形成した際の折り曲げ部が自由に動く）ため、例えば、雌型端子２００をタブ１１０ａに挿入する際に、雌型端子２００がタブ１１０ａに当たり、図３（Ｂ）の破線で示すようにタブ１１０ａが上方へ曲がってしまう虞があった。
【０００７】
タブ１１０ａが上方へ曲がってしまうと、例えば、空気調和機の製造時やメンテナンス時において、一旦雌型端子２００を引き抜いた後再びタブ１１０ａに挿入するような場合に、雌型端子２００とタブ１１０ａとの嵌合が不完全な状態、あるいは、嵌合できていない状態となる虞があり、接触不良による嵌合部の発熱や、室外機の電源基板に電力供給が行えないといった不具合が発生する虞があった。
【０００８】
本発明は以上述べた問題点を解決するものであって、雌型端子と雄型端子との嵌合が確実に行える端子台を提供することを目的とする。
【課題を解決するための手段】
【０００９】
上記した課題を解決するために、本発明の端子台は、端子台の少なくとも一端を上方に折り曲げて形成した立上げ部と、この立上げ部の先端をさらに端子板と平行となるように折り曲げて形成したタブを有する雄型端子と、雄型端子を取り付けるケースとを備えている。そして、雄型端子は、立上げ部の一部をタブの反対側へ切り起こして形成した突き当て部を備え、また、ケースには突き当て部が当接する端子台壁を備えたものである。
【発明の効果】
【００１０】
上記のように構成した本発明の端子台では、雄型端子に雌型端子を挿入する際に、雄型端子の突き当て部が端子台壁に当接することによって、雄型端子に加わる力によって雄型端子が変形することを防ぐことができる。これにより、雄型端子と雌型端子との嵌合が不完全な状態、あるいは、嵌合できていない状態となることを防ぐことができ、両端子の接触不良による嵌合部の発熱や、端子台が搭載された電気機器に電力供給が行えないといった不具合発生を防ぐことができる。
【図面の簡単な説明】
【００１１】
【図１】本発明による端子台の概略図であり、（Ａ）は上面図、（Ｂ）は（Ａ）のＸ−Ｘにおける要部断面図である。
【図２】本発明による端子台の、他の実施形態を示す要部断面図である。
【図３】従来の端子台の概略図であり、（Ａ）は上面図、（Ｂ）は（Ａ）のＹ−Ｙにおける要部断面図である。
【発明を実施するための形態】
【００１２】
以下、本発明の実施の形態を、添付図面に基づいて詳細に説明する。実施例としては、空気調和機の室外機に備えられ、室内機からの給電を中継する４極のネジ式の端子台を例に挙げて説明する。尚、本発明は以下の実施形態に限定されることはなく、本発明の主旨を逸脱しない範囲で種々変形することが可能である。
【実施例１】
【００１３】
図１に示すように、本実施例による端子台１は、一体または複数の樹脂成形品を組み合せたケース４に、雄型端子１１と、温度ヒューズ１２と、ネジ１４とが取り付けられている。図１（Ａ）に示すように、端子台１のケース４には、４個の雄型端子１１が間隔をおいて並列配置されており、雄型端子１１の後述する上タブ１１ａおよび下タブ１１ｄの反対側の一端にはネジ１４が螺着されている。
【００１４】
雄型端子１１は、板状の真鍮を切断および折り曲げ加工して形成されており、表面に錫メッキやニッケルメッキ等の被膜を備えている。図１（Ｂ）に示すように、雄型端子１１は、端子板１１ｅの一端を上方に略直角に折り曲げて形成した立上げ部１１ｆと、さらに立上げ部１１ｆの先端を端子板１１ｅに平行に折り曲げて形成した上タブ１１ａを設け、他端に下タブ１１ｄを設けている。この上タブ１１ａと下タブ１１ｄとは同一形状とされており、図１に示す雌型端子２と嵌合する形状とされている。尚、雌型端子２に接続された電線３は、図示しない室外機の電源基板に接続されている。
【００１５】
端子板１１ｅの上タブ１１ａの先端部は、上述した折り曲げにより端子台１前方（図１の雌型端子２側）に臨むようになっており、さらに、端子板１１ｅは略中央部付近を境に１８０度折り曲げられて端子板１１ｅの一方の面と他方の面とが折り重さねられている。この端子板１１ｅの１８０度の折り曲げは、上タブ１１ａの先端部と下タブ１１ｄの先端部とが、端子台１前方に対し位置が揃うようになされる。
【００１６】
また、上タブ１１ａの先端部と反対側には、立上げ部１１ｆの一部を上タブ１１ａの先端部と反対側に切り起こしてなる突き当て部１１ｂを設けている。図１（Ａ）に示すように、突き当て部１１ｂは、端子板１１ｅ（上タブ１１ａ）の両測部に設けられており、突き当て部１１ｂの先端部は端子台１のケース４に設けられた端子台壁１５に当接する形状とされている。また、突き当て部１１ｂの間のスペースは、端子台１の雄型端子１１に雌型端子２を接合した際に、雄型端子１１と室外機の電源基板との導通を確認するための通電冶具挿入部１１ｃとされており、テスタ等の通電検査装置に備えられたプローブあるいは検査冶具を挿入できるような形状とされている。
【００１７】
温度ヒューズ１２は、図１（Ｂ）に示すように、端子台１のケースに備えられた固定部（端子台壁１５の略直下に配置）に格納されている。図示しない電線によって、温度ヒューズ１２の一端は電源供給ラインが接続された雄型端子１１に接続され、他端が室外機の制御基板に実装されている制御手段に接続されている。端子台１を介して室外機に電源供給を行っている際に、室外機に備えられた回路基板における回路のショートや実装部品の故障等に起因する過熱によって雄型端子１１が発熱し温度ヒューズ１２が溶融すれば、温度ヒューズ１２から室外機の制御手段への入力が途絶えるため、これを検知した室外機の制御手段は、電源基板から室外機の各装置への電源供給を停止する。これにより、室外機の焼損を防いでいる。
【００１８】
ネジ１４は、図１（Ａ）および（Ｂ）に示すように、各雄型端子１１の上タブ１１ａおよび下タブ１１ｄの反対側の一端に設けられた図示しないネジ孔に螺着されており、ネジ１４頭部の下方には略正方形状のワッシャが備えられている。このワッシャと雄型端子１１との間に、室内機からの電源供給を行うための電源ラインが挿入され、ネジ１４を締め付けることで電源ラインと雄型端子１１とを電気的に接続する。
【００１９】
以上説明したように、室内機からの電源ラインがネジ１４にて雄型端子１１に接続されるとともに、雄型端子１１の上タブ１１ａあるいは下タブ１１ｄに雌型端子２が接続されることで、室内機から室外機の電源基板へ端子台１を介して室外機で必要とされる電力が供給される。
【００２０】
次に、図１を用いて、本実施例の端子台１における、雄型端子１１の突き当て部１１ｂの具体的な効果について説明する。雌型端子２を雄型端子１１の上タブ１１ａあるいは下タブ１１ｄに接合させる際は、図１（Ｂ）の矢印で示すように、雄型端子１１に対し端子台１後方（ネジ１４側）に向かう力が加わる。
【００２１】
下タブ１１ｄは、図１（Ｂ）に示すように、雄型端子１１の挿入力の方向に対し平行となっているので、雄型端子１１の挿入力による下タブ１１ｄの曲がりや変形は発生しない。一方、上タブ１１ａは、上述したように、端子板１１ｅをＬ字状に折り曲げた方の一端に設けられているため、雄型端子１１の挿入力によって、Ｌ字状に折り曲げる際の折り曲げ部で曲がりや変形が生じる虞がある。この曲がりや変形によって上タブ１１ａが曲がってしまうと、例えば、空気調和機の製造時やメンテナンス時において、一旦雌型端子２を引き抜いた後再び上タブ１１ａに挿入するような場合に、雌型端子２と上タブ１１ａとの嵌合が不完全な状態、あるいは、嵌合できていない状態となる虞があり、接触不良による嵌合部の発熱や、室外機の電源基板に電力供給が行えないといった不具合が発生する虞がある。
【００２２】
しかし、本実施例の雄型端子１１は、図１（Ｂ）に示すように、突き当て部１１ｂが端子台１の端子台壁１５に当接しているため、雌型端子２の挿入の際に、雄型端子１１に挿入力が加わっても突き当て部１１ｂの変位、つまり、上タブ１１ａの変位は端子台壁１５で規制される。
【００２３】
これにより、雌型端子２の挿入力によって上タブ１１ａの曲がりや変形が抑えられるので、雄型端子１１と雌型端子２との確実な嵌合が行え、ひいては、室内機からの電源ラインと室外機の電源基板との確実な中継接続が行える。
【実施例２】
【００２４】
次に、図２を用いて、本発明による端子台の第２の実施例について説明する。本実施例による端子台１０は、一体または複数の樹脂成形品を組み合せたケース４に、雄型端子２１と、温度ヒューズ１２と、ネジ１４とが取り付けられている。尚、ケース４、温度ヒューズ１２およびネジ１４については、第１の実施例の端子台１と同じであるため、詳細な説明は省略する。第１の実施例と異なるのは、雄型端子２１の形状とそのケース４への固定方法である。
【００２５】
雄型端子２１は、基本的な形状は第１の実施例における雄型端子１１と同じであり、その一端に上タブ１１ａと同一形状である上タブ２１ａが設けられている。雄型端子１１と異なる点は、雄型端子１１における突き当て部１１ｂより長さを後方に延伸した突き当て部２１ｂとなっている点である。図２に示すように、端子台２０では、雄型端子２１の挿入部２１ｂが、端子台２０のケース４の端子台壁２５に設けられ突き当て部２１ｂの先端の形状に対応した凹部２５ａに挿入されている。
【００２６】
突き当て部２１ｂは上タブ２１ａと連続しているため、突き当て部２１ｂが端子台壁２５に設けられ凹部２５ａに挿入されることで、上タブ２１ａの上下方向への曲がりをより効果的に抑制できる。従って、雄型端子２１と雌型端子２とのより確実な嵌合が行え、ひいては、室内機からの電源ラインと室外機の電源基板との確実な中継接続が行える。
【００２７】
以上説明したように、本発明による端子台では、雄型端子に雌型端子を挿入する際に、雄型端子に加わる力によって雄型端子が弾性変形することを、雄型端子の突き当て部が端子台に当接することによって防ぐことができる。これにより、雄型端子と雌型端子との嵌合が不完全な状態、あるいは、嵌合できていない状態となることを防ぐことができ、接触不良による嵌合部の発熱や、端子台が搭載された電気機器に電力供給が行えないといった不具合発生を防ぐことができる。
【００２８】
また、本発明による端子台を電気機器に備えることによって、商用電源等の電力供給源と電気機器に備えられた電源基板や電源装置との確実な接続が行えるので、電気機器は安定して電力供給を受けることができ、その動作が安定する。
【符号の説明】
【００２９】
１  端子台
２  雌型端子
３  電線
４  ケース
１０  端子台
１１  雄型端子
１１ａ  上タブ
１１ｂ  突き当て部
１１ｃ  通電治具挿入部
１１ｄ  下タブ
１１ｅ  端子板
１１ｆ  立上げ部
１２  温度ヒューズ
１３  固定部
１４  ネジ
１５  端子台壁
２１  雄型端子
２１ａ  タブ
２１ｂ  突き当て部
２１ｆ  立上げ部
２３  固定部
２５  端子台壁
２５ａ  凹部
１００  端子台
１１０  雄型端子
１１０ａ  タブ
１２０  温度ヒューズ
１３０  固定部
１４０  ネジ
２００  雌型端子
３００  電線
【図１】
2012204047.tif 000003
【図２】
2012204047.tif 000004
【図３】
2012204047.tif 000005